(57)【要約】【課題】掃除機本体の大きさおよび重量を大きくすることなく、隙間吸込具等の補助吸込具を掃除機本体に収納できるとともに、使用性を高めた電気掃除機を提供することを目的とする。【解決手段】吸引風を発する電動送風機５を内蔵した掃除機本体１に、塵埃を吸引する本体部１４と前記本体部に接続される接続部１５とから構成される吸込具１２を収納する収納部１３を設け、前記吸込具１２が前記収納部１３に収納されるときには、前記本体部１４または前記接続部１５の外郭が前記掃除機本体１の外郭を形成する形態で装着されるもので、掃除機本体１を小型にすることができ、また重量も軽減することができる。【選択図】　図２
2004135957.tif 000002
【特許請求の範囲】
【請求項１】
吸引風を発する電動送風機を内蔵した掃除機本体に、塵埃を吸引する吸込部を有する本体部と前記吸込部に連通し前記本体部に接続される接続部とから構成される吸込具を収納する収納部を設け、前記吸込具が前記収納部に収納されるときには、前記本体部または前記接続部の外郭が前記掃除機本体の外郭を形成する形態で装着される電気掃除機。
【請求項２】
吸込具を収納部に収納するときには、接続部を本体部にて覆う構成とした請求項１記載の電気掃除機。
【請求項３】
接続部の少なくとも一部分は、吸込部内に収納される構成とした請求項１または２記載の電気掃除機。
【請求項４】
本体部は、掃除機本体に対して回動自在に装着される請求項１〜３のいずれか１項に記載の電気掃除機。
【請求項５】
軸部と前記軸部を挿入する溝部を、本体部と収納部に、あるいは、収納部と本体部にそれぞれ設け、前記軸部を前記溝部に配置することで、前記本体部を前記掃除機本体に対して回動自在に装着した請求項４記載の電気掃除機。
【請求項６】
本体部に、吸込部と連通する取付部を設け、前記取付部に接続部の先端を差し込んで、前記本体部と前記接続部を接続する構成とした請求項１〜５記載のいずれか１項に記載の電気掃除機。
【請求項７】
係止凸部と被係止凹部を、本体部と接続部に、あるいは、接続部と本体部にそれぞれ設け、前記被係止凹部に前記係止凸部を挿入することで、前記接続部を前記本体部に接続可能とした請求項１〜５のいずれか１項に記載の電気掃除機。
【請求項８】
本体部の被掃除面と接触面にブラシを設けた請求項１〜７のいずれか１項に記載の電気掃除機。
【請求項９】
接続部をゴム材もしくは発砲クッション材等の軟質材で形成した請求項１〜８のいずれか１項に記載の電気掃除機。
【請求項１０】
接続部の本体部との接続側の先端の開口径を、他端の開口径より小さくして形成した請求項１〜９のいずれか１項に記載の電気掃除機。
【請求項１１】
電動送風機の吸気上流側に、吸引した塵埃を捕集する集塵部を設け、前記集塵部を上方より覆う蓋体に、凹部形状の収納部を形成した請求項１〜１０のいずれか１項に記載の電気掃除機。
【発明の詳細な説明】
【０００１】
【発明の属する技術分野】
本発明は、電気掃除機の補助吸込具等の付属品の収納方法に関するものである。
【０００２】
【従来の技術】
従来、掃除場所に応じてホースや延長管に接続して使用する隙間用吸込具や棚用吸込具等の収納場所において、電気掃除機の本体に一体的に収納する構成については、図１４のように、集塵室の上方を覆う蓋体１０１の外郭面に凹部１０２を形成し、この凹部１０２に隙間用吸込具や棚用吸込具等の補助吸込具１０３を収納し、さらにその上には収納蓋１０４を設けて外観を形成している（例えば、特許文献１参照。）。
【０００３】
また、別の電気掃除機の本体への収納方法においては、図１５のように、掃除機本体の電動送風機１０５を内蔵する電動送風機室１０６後方の本体外郭後面の上方には排気格子１０７、その下方には長手方向を床面と略並行にして補助吸込具１０３を収納する収納凹部１０８を形成したものである（例えば、特許文献２参照。）。
【０００４】
さらには、昨今、掃除機本体の小型化が図られる中、図１６のように、ホース１０９の先端のハンドル部１１０の近くに隙間用吸込具や棚用吸込具等の補助吸込具１０３を取り付けるための付属品収納具１１１を設けたものがある（例えば、特許文献３参照。）。
【０００５】
【特許文献１】
特開平４−３６１７２３号公報
【特許文献２】
特開平５−４９５６２号公報
【特許文献３】
特開２０００−７０１８８号公報
【０００６】
【発明が解決しようとする課題】
しかしながら、上記従来の構成において、図１４の電気掃除機の本体に隙間吸込具等の補助吸込具１０３を収納する構成では、隙間吸込具、棚用吸込具と２つ以上の補助吸込具１０３を収納すると、図のようにその収納部分が横方向に広がり、本体の大きさにおいても高さ方向で横に広がる分だけ大きくなり、また、収納部の収納蓋１０４の分だけ本体重量も重くなってしまう。
【０００７】
また、図１５の掃除機本体の後方下部に補助吸込具１０３の収納部１０８を設けた構成では、補助吸込具１０３が１つしか収納することができない。
【０００８】
さらには、図１６のホース１０９部分に補助吸込具１０３の収納部を設けた構成では、掃除中に補助吸込具１０３を落としてしまい、紛失する恐れがある。
【０００９】
本発明は上記課題を解決するものであり、掃除機本体の大きさおよび重量を大きくすることなく、隙間吸込具等の補助吸込具を掃除機本体に収納できるとともに、使用性を高めた電気掃除機を提供することを目的とする。
【００１０】
【課題を解決するための手段】
上記目的を達成するために本発明は、吸引風を発する電動送風機を内蔵した掃除機本体に、塵埃を吸引する吸込部を有する本体部と前記吸込部に連通し前記本体部に接続される接続部とから構成される吸込具を収納する収納部を設け、前記吸込具が前記収納部に収納されるときには、前記本体部または前記接続部の外郭が前記掃除機本体の外郭を形成する形態で装着されるもので、特に収納蓋を設けることなく、吸込具の本体部または接続部にて、掃除機本体の外郭を形成するため、掃除機本体を小型にすることができ、また重量も軽減することができる。
【００１１】
【発明の実施の形態】
本発明の請求項１記載の発明は、吸引風を発する電動送風機を内蔵した掃除機本体に、塵埃を吸引する吸込部を有する本体部と前記吸込部に連通し前記本体部に接続される接続部とから構成される吸込具を収納する収納部を設け、前記吸込具が前記収納部に収納されるときには、前記本体部または前記接続部の外郭が前記掃除機本体の外郭を形成する形態で装着されるもので、特に収納蓋を設けることなく、吸込具の本体部または接続部にて、掃除機本体の外郭を形成するため、掃除機本体を小型にすることができ、また重量も軽減することができる。
【００１２】
本発明の請求項２記載の発明は、吸込具を収納部に収納するときには、接続部を本体部にて覆う構成としたもので、本体部と接続部とを別々に構成し、分離して収納できるため、収納部の大きさが小さくて済み、掃除機本体の小型化を図ることができる。
【００１３】
本発明の請求項３記載の発明は、接続部の少なくとも一部分は、吸込部内に収納される構成としたもので、前記吸込具を前記収納部に収納するときには、前記接続部の少なくとも一部分を、前記吸込部内に収納できるため、収納部の大きさが小さくて済み、掃除機本体の小型化を図ることができる。
【００１４】
本発明の請求項４記載の発明は、本体部は、掃除機本体に対して回動自在に装着されるもので、本体部が蓋体のように回動するため、使用性が向上する。
【００１５】
本発明の請求項５記載の発明は、軸部と前記軸部を挿入する溝部を、本体部と収納部に、あるいは、収納部と本体部にそれぞれ設け、前記軸部を前記溝部に配置することで、前記本体部を前記掃除機本体に対して回動自在に装着したもので、軸部が溝部にて位置決めされるため、本体部と掃除機本体の装着が確実となり、本体部の蓋体としての回動性が向上することで、使用性が向上する。
【００１６】
本発明の請求項６記載の発明は、本体部に、吸込部と連通する取付部を設け、前記取付部に接続部の先端を差し込んで、前記本体部と前記接続部を接続する構成としたもので、接続管と本体部の接続が容易にでき使用性を向上できる。
【００１７】
本発明の請求項７記載の発明は、係止凸部と被係止凹部を、本体部と接続部に、あるいは、接続部と本体部にそれぞれ設け、前記被係止凹部に前記係止凸部を挿入することで、前記接続部を前記本体部に接続可能としたもので、接続管と本体部の接続が容易にでき使用性を向上できる。
【００１８】
本発明の請求項８記載の発明は、本体部の被掃除面と接触面にブラシを設けたもので、吸込具を掃除機本体に装着したとき、前記ブラシが前記掃除機本体に接触することで、前記掃除機本体に傷付け等が生じず、製品品質を維持できる。
【００１９】
本発明の請求項９記載の発明は、接続部をゴム材もしくは発砲クッション材等の軟質材で形成したもので、それにより、収納の際に、外郭形状に合わせて接続部の形状を変化させればいいため、収納部の大きさを大きくとるようなことはなくなり、掃除機本体の小型化を図れる。
【００２０】
本発明の請求項１０記載の発明は、接続部の本体部との接続側の先端の開口径を、他端の開口径より小さくして形成したもので、接続部を単品で隙間用吸込具としても使用することができ、使用性を向上させることができる。
【００２１】
本発明の請求項１１記載の発明は、電動送風機の吸気上流側に、吸引した塵埃を捕集する集塵部を設け、前記集塵部を上方より覆う蓋体に、凹部形状の収納部を形成したもので、前記凹部形状の収納部を蓋体を下方に突出させ形成することで、掃除機本体の大きさを大きくすることなく、収納部を本体に設けることができる。
【００２２】
【実施例】
（実施例１）
以下、本発明の第１の実施例を図１〜図８を用いて説明する。
【００２３】
図２において、掃除機本体１は、外郭を形成する上方開口した下カバー２の前方に集塵を捕集する集塵部である集塵袋３を収納する集塵室４と、前記集塵室４の吸気下流側には、吸引風を発生する電動送風機５を収納する電動送風機室６を設けており、電動送風機室６の上方を上カバー７によって覆い、前記電動送風機５はクッション８を介して下カバー２と上カバー７とで狭持している。集塵袋３を収納する集塵室４の上方は、上カバー７に軸支して開閉自在に回動する蓋体９によって覆っており、また、集塵室４を仕切る仕切壁１０を下カバー２及び蓋体９に相対するように設けており、この仕切壁同士の間にパッキン（図示せず）を介して空気のタイトを行い気密性を確保している。また、蓋体９の外観面には中央長手方向に凹部を設け、補助吸込具１２を収納するための収納部１３としている。
【００２４】
次に補助吸込具１２について説明する。図３、図４に示すように、補助吸込具１２は床面、棚等の埃を拭き取るためのブラシを備えた本体部１４と、延長管（図示せず）もしくはホース先端（図示せず）と、前記本体部１４とを接続可能とするための接続部である接続管１５から成り、本体部１４の中央には塵埃を吸引する吸込部１６なる凹部を設けており、吸込部１６の一端は接続管１５を接続するための取付け部１７を設けている。この取付け口１７には、接続管１５の先端を差し込んで本体部４にセットする構成である。
【００２５】
また、本体部１４は、外郭を構成する吸込具上カバー体１８と吸込部１６、接続管１５の取付け部１７を構成する吸込具下カバー体１９、及びブラシ部２０とで構成しており、拭きブラシ部２０はブラシ台２１の一面に柔らかい起毛布ブラシ２２を取り付け、反対面には硬い毛ブラシ２３を設け、ブラシ台２１と吸込具下カバー体１９とに係合部２４と被係合部２５を互いに設けて、係合し、保持している。
【００２６】
接続管１５は、図３または図５に示すように、途中部分で屈曲させており、本体部１４に接続して使用する際に、被掃除面と掃除操作部分との位置、角度において掃除しやすい角度に設定している。また、接続管１５の先端の開口部１５ａは、接続側の開口部１５ｂに比べて、開口面積を小さくして隙間掃除用として機能する形状にしており、他端は略四角形状にしている。この接続側の形状については、従来、延長管（図示せず）、ホース（図示せず）の先端のパイプが円筒であり、それに合わせて隙間用吸込具もその接続側は、円筒のパイプ形状であるのが一般的であるが、実際、隙間用吸込具として機能として、狭い箇所も掃除できるように、吸引圧を高めるようにパイプの先端の開口部の面積は小さくしているが、現在の掃除機本体の吸引力に対して隙間用吸込具の先端の狭さでは吸引圧が高まり過ぎてしまい、接続側の開口部１５ｂ側の形状を、延長管等のパイプ形状に一致しない四角形状としたのは、いくらか漏れが生じても充分に隙間用吸込具としての機能を果たすためである。
【００２７】
次に補助吸込具１２の収納形態について説明する。図６、図７に示すように、収納部１３は接続管１５を収納する収納部Ａ２６と本体部１４を収納保持するための収納部Ｂ２７とから成り、図に示すように、接続管１５を収納部Ａ２６に収納しその上より本体部１４を収納部Ｂ２７に収納し、収納部Ｂ２７の両側面に設けた係止部Ａ２８と相対するように本体部１４に設けた被係止部Ａ２９とで保持している。ここで、接続管１５の上半分は、本体部１４の吸込部１６内に収まるようにしている。さらに、本体部１４を収納したとき、吸込具上カバー部１８の外観面が蓋体９の外観面と一体となり、掃除機本体１の外郭を形成し、補助吸込具１２を掃除機本体１に収納したときに、掃除機本体１の外観形状を形成している。
【００２８】
上記の構成によって、掃除機本体１の大きさを大きくせずに補助吸込具１２等の付属品を収納することのできる収納部１３を設けることができ、また、一つの補助吸込具１２において、３通りの使用形態を選択することができるため、使用性が向上すると同時に、収納部１３自体をコンパクトにすることができるために、掃除機本体１の小型化が図れる。
【００２９】
また、補助吸込具１２で掃除機本体１の外郭デザインの一部を形成しているために、従来の収納部の蓋を設ける必要はなく、本体の重量についても軽減を図ることができる。また、掃除機本体１の蓋体９に補助吸込具１２の収納部１３を設けたのは、従来、蓋体の内側、集塵室側において、吸引通路を形成するためのリブを数本延設しているが、接続管１５の収納部Ａ２６は集塵室４側に凸形状となり、これが吸引通路のリブ形状の働きをするため、従来の掃除機本体のサイズより大きくせずに補助吸込具１２の収納部１３を構成することができるためである。
【００３０】
さらに、本体部１４と接続管１５との接続方法としては、図８に示すように、本体部１４の接続管取付け部１７の底板を無くした取付け部とし、本体部１４と接続管１５とにそれぞれ係止凸部１７ａ、被係止凹部１５ｃを設け、接続管１５は本体部１４の下方向からはめ込むようにしてセットするように構成することによって、本体部１４の高さが取付け口の底板部分がなくなる分、低くすることができ、収納部の高さ方向において小型化を図れる。また、補助吸込具の使用性においても、本体部１４を使用していて、次に接続管１５を使いたいとした場合にもスムースに本体部１４をはずすことができる。なお、前記係止凸部１７ａ、被係止凹部１５ｃは、それぞれ接続管１５と本体部１４に設けられていても良い。
【００３１】
（実施例２）
次に、本発明の第２の実施例を図９〜図１１を用いて説明する。
【００３２】
図１０に示すように、本体部１４に軸部１４ａを設け、掃除機本体１の蓋体９側には略円弧状の軸受け部１ａを設けており、図９のように本体部１４が回動自在に蓋のように動くように構成したものである。
【００３３】
上記構成によって、接続管１５のみ使用する場合も、本体部１４を取り外すという行為をしなくとも、蓋を開けるようにして接続管１５を取り出せることができるため、使用性は向上する。
【００３４】
また、別の構成で、図１１に示すように、収納部１３の側壁に軸部１ｂを設け、本体部１４に略Ｕ字状の溝１４ｂを形成し、前記軸部１ｂを前記溝１４ｂに挿入可能とするとともに、前記溝１４ｂの開口側の一部の幅を他端の円弧状の軸受け径よりも幾分か狭くすることで、本体部１４の回動、保持性が良くなり使用性が向上する。また同時に、本体部１４の取り外し性も損なうこともない。軸部１ｂを本体部１４側に、溝１４ｂを収納部１３に設けてもよい。
【００３５】
（実施例３）
次に、本発明の第３の実施例を図１２を用いて説明する。
【００３６】
補助吸込具において、図に示すように、本体部１４と接続管１５とが回動自在に軸支し、吸込部１６内に接続管１５を収納できる構成としたものである。
【００３７】
上記構成によって、本体部１４と接続管１５とが一体となって取り外せ、また、延長管等へのセットについても使用性が向上する。
【００３８】
（実施例４）
次に、本発明の第４の実施例を図１３を用いて説明する。
【００３９】
接続管１５をゴム材もしくは発泡クッション材の軟質材で形成したものである。
【００４０】
上記構成によって、接続管１５は、形状を変化させることができるため、図１３のように、収納部１３外観形状に合わせて形を変えることができるとともに、接続管１５の外観面が蓋体９の外観面と一体となり、掃除機本体１の外郭を形成し、補助吸込具１２を掃除機本体１に収納したときに、掃除機本体１の外観形状を形成している。
。
【００４１】
また、上述した本体部１４に接続する接続管１５においても、同様にゴム材もしくは発泡クッション材の軟質材で形成することにより、接続管１５をまっすぐに形成することができ、補助吸込具収納部の高さ方向を低くすることができる。
【００４２】
上述した接続管１５は、使用性の中で途中に屈曲部を設けているが、この接続管１５では、形状が変化し、かつその弾性による復元力によって、手の操作角度、掃除面によらず、本体部１４は掃除面と接地するようになるため使用性においても向上する。
【００４３】
【発明の効果】
以上のように、本発明によれば、掃除機本体の大きさおよび重量を大きくすることなく、隙間吸込具等の補助吸込具を掃除機本体に収納できるとともに、使用性を高めた電気掃除機を提供できる。
【図面の簡単な説明】
【図１】本発明の実施例１を示す掃除機本体の斜視図
【図２】同掃除機本体の中央断面図
【図３】同吸込具の中央断面図
【図４】図３のＡ−Ａ断面図
【図５】同吸込具の接続管の斜視図
【図６】同掃除機本体への吸込具収納取り付け状態図
【図７】同掃除機本体への吸込具組み立て状態の断面図
【図８】同吸込具の組み立て状態図
【図９】本発明の第２の実施例を示す掃除機本体の斜視図
【図１０】同掃除機本体の軸保持部の部分断面図
【図１１】同掃除機本体の軸保持部の部分拡大図
【図１２】本発明の第３の実施例を示す吸込具の断面図
【図１３】本発明の第４の実施例を示す掃除機本体の斜視図
【図１４】従来の電気掃除機本体の上方矢視図
【図１５】同他の掃除機本体の中央断面図
【図１６】同他の電気掃除機の補助吸込具収納部斜視図
【符号の説明】
１　掃除機本体
３　集塵袋
４　集塵室
５　電動送風機
６　電動送風機室
９　蓋体
１２　補助吸込具
１３　収納部
１４　本体部
１５　接続管
【図１】
2004135957.tif 000003
【図２】
2004135957.tif 000004
【図３】
2004135957.tif 000005
【図４】
2004135957.tif 000006
【図５】
2004135957.tif 000007
【図６】
2004135957.tif 000008
【図７】
2004135957.tif 000009
【図８】
2004135957.tif 000010
【図９】
2004135957.tif 000011
【図１０】
2004135957.tif 000012
【図１１】
2004135957.tif 000013
【図１２】
2004135957.tif 000014
【図１３】
2004135957.tif 000015
【図１４】
2004135957.tif 000016
【図１５】
2004135957.tif 000017
【図１６】
2004135957.tif 000018